(57)【特許請求の範囲】
【請求項１】
縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
第１サイドパネルと中心パネルとの接合部位の下端部と、第２サイドパネルと中心パネルとの接合部位の下端部との間の距離をＡ１とし、第１サイドパネルと中心パネルとの接合部位の上端部と、第２サイドパネルと中心パネルとの接合部位の上端部との間の距離をＡ２としたとき、Ａ１をＡ２よりも大きくなしたマスク。
【請求項２】
中心パネルはその最幅広部が、該中心パネルの縦方向の中央部よりも下側に偏倚して位置している請求項１記載のマスク。
【請求項３】
第１サイドパネル及び又は第２サイドパネルはそれぞれ、これらのサイドパネルに縦方向に延びる折曲線が形成されるように中心パネルの内側に二つ折りに折り畳まれている請求項１又は２記載のマスク。
【請求項４】
縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
中心パネルはその最幅広部が、該中心パネルの縦方向の中央部よりも下側に偏倚して位置しているマスク。
【請求項５】
第１サイドパネル及び又は第２サイドパネルはそれぞれ、これらのサイドパネルに縦方向に延びる折曲線が形成されるように中心パネルの内側に二つ折りに折り畳まれている請求項４記載のマスク。
【請求項６】
第１サイドパネルと中心パネルとの接合部位の下端部と、第２サイドパネルと中心パネルとの接合部位の下端部との間の距離をＡ１とし、第１サイドパネルと中心パネルとの接合部位の上端部と、第２サイドパネルと中心パネルとの接合部位の上端部との間の距離をＡ２としたとき、Ａ１＝Ａ２となした請求項４又は５記載のマスク。
【請求項７】
縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
第１サイドパネル及び又は第２サイドパネルはそれぞれ、これらのサイドパネルに縦方向に延びる折曲線が形成されるように中心パネルの内側に二つ折りに折り畳まれているマスク。
【請求項８】
第１サイドパネルと中心パネルとの接合部位の下端部と、第２サイドパネルと中心パネルとの接合部位の下端部との間の距離をＡ１とし、第１サイドパネルと中心パネルとの接合部位の上端部と、第２サイドパネルと中心パネルとの接合部位の上端部との間の距離をＡ２としたとき、Ａ１＝Ａ２となした請求項７記載のマスク。
【発明の詳細な説明】
【技術分野】
【０００１】
本発明は、例えば医療分野、食品分野、各種製造業の分野などで防塵に用いられるマスクに関し、特に衛生マスク、例えば日常生活における花粉症対策、ハウスダスト対策、風邪対策などに有効なマスクに関する。
【背景技術】
【０００２】
マスクと顔面の密着性を高めることは、微小粒子の吸い込みを防止する観点から重要である。この目的のために種々の形状のマスクが提案されている。例えば、周長を規定する複数のエッジを有する平坦な中心パネルと、周長を規定する複数のエッジを有し、中心パネルの１つのエッジと実質的同一位置にある折り線、シーム、溶接部または接着部を介して該中心パネルに接合される、平坦な第１パネルと、周長を規定する複数のエッジを有し、中心パネルの１つのエッジと実質的同一位置にある折り線、シーム、溶接部または接着部を介して該中心パネルに接合される、平坦な第２パネルとを具備するマスクが知られている（特許文献１参照）。このマスクは、平坦に折り畳んで保管できるとともに、使用時には着用者の鼻および口を覆うカップ形状の空気室を形成する。そして、中心パネルの周長よりも短い顔面接触縁部を有する。
【０００３】
しかし前記のマスクよりも更に一層顔との間に十分な空間を形成し得るマスクが要望されている。またカップ形状が、顔の凹凸に更に一層に沿うようになり、マスクと顔との間に生じる隙間が更に少ないマスクが要望されている。
【０００４】
【特許文献１】特表平１１−５０１８４０号公報
【発明の開示】
【発明が解決しようとする課題】
【０００５】
従って本発明の目的は、前述した従来技術よりも性能が一層向上したマスクを提供することにある。
【課題を解決するための手段】
【０００６】
本発明は、縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
第１サイドパネルと中心パネルとの接合部位の下端部と、第２サイドパネルと中心パネルとの接合部位の下端部との間の距離をＡ１とし、第１サイドパネルと中心パネルとの接合部位の上端部と、第２サイドパネルと中心パネルとの接合部位の上端部との間の距離をＡ２としたとき、Ａ１をＡ２よりも大きくなしたマスクを提供することにより前記目的を達成したものである。
【０００７】
また本発明は、縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
中心パネルはその最幅広部が、該中心パネルの縦方向の中央部よりも下側に偏倚して位置しているマスクを提供することにより前記目的を達成したものである。
【０００８】
更に本発明は、縦方向に延び且つ外向きに凸状に湾曲した相対向する左右両側縁を有する中心パネルと、該中心パネルの左右両側縁にそれぞれ連設された第１サイドパネル及び第２サイドパネルとを備え、
第１サイドパネル及び第２サイドパネルはそれぞれ、これらのサイドパネルに縦方向に延びる折曲線が形成されるように中心パネルの内側に二つ折りに折り畳まれているマスクを提供することにより前記目的を達成したものである。
【発明の効果】
【０００９】
本発明のマスクは、鼻及び口の周囲を広く覆い、また顔との間に十分な空間を形成する。従って呼吸や会話がしやすく、また顔とマスクとの間の空間が蒸れにくくなる。更に、頬との密着性が高くなり、マスクと顔の間に隙間が生じづらく、花粉や埃などの微小粒子の吸入を効果的に阻止できる。
【発明を実施するための最良の形態】
【００１０】
以下本発明を、その好ましい実施形態に基づき図面を参照しながら説明する。図１（ａ）には、本発明のマスクの一実施形態を示す正面図が示されている。図１（ｂ）は図１（ａ）におけるｂ−ｂ線断面図である。図２は、図１（ａ）に示すマスクの背面図である。図１（ａ）は、マスク１０をその外方を向く側（以下、外側ともいう）からみた図である。図２は、マスク１０を肌に対向する側（以下、内側ともいう）からみた図である。
【００１１】
図１及び図２に示すマスク１０は、マスク本体２０と、マスク本体２０の左右両側部にそれぞれ取り付けられた耳掛け部２１とを備えている。マスク本体２０は、同一の又は異なる３枚のシート材料を接合して構成されており、その使用前の状態では実質的に平坦なものである。つまりマスク本体２０は３パネル構造になっている。各シート材料は、単一（即ち１プライ）のシート材料でもよく、或いは複数枚（即ちマルチプライ）のシートが積層されて一体的な構造になっているシート材料でもよい。複数枚のシートを用いることは、各シートに別個の機能を付与することで、マスク本体２０に種々の機能を付与することが容易になるという点で有利である。複数枚のシートを用いる場合には、シート間が全面接合されたラミネート状態で用いてもよく、或いはシート間が離間した状態で用いてもよい。本実施形態においては、１プライのシート材料を３枚用いてマスク本体２０が構成されている。
【００１２】
マスク本体２０は、前記のシート材料から構成される中心パネル２２を備えている。中心パネル２２は縦長をしており、縦方向に延び且つ相対向する左右両側縁２２ａ，２２ｂを有する。左右両側縁２２ａ，２２ｂは、外向きに凸状に滑らかに湾曲した形状になっている。中心パネル２２はその縦中心線に関して対称形になっている。中心パネル２２の一方の側縁２２ａには、前記のシート材料から構成される第１サイドパネル２４が連設されている。中心パネル２２の他方の側縁２２ｂには、前記のシート材料から構成される第２サイドパネル２６が連設されている。
【００１３】
本実施形態においては、左右両側縁２２ａ，２２ｂは滑らかな曲線を描く形状になっているが、外向きに凸形状となっている限り、左右両側縁２２ａ，２２ｂの形状はこれに限られない。例えば左右両側縁２２ａ，２２ｂは、直線のみの組み合わせや、直線と曲線の組み合わせの形状をしていてもよい。具体的な形状としては、ダイヤ形状や楕円形、木の葉形状などが挙げられる。
【００１４】
マスク本体２０を構成する中心パネル２２、第１サイドパネル２４、第２サイドパネル２６のシート材料は同種のものでもよく、或いは互いに異なるものでもよい。中心パネル２２、第１サイドパネル２４、第２サイドパネル２６のシート材料が互いに異なるものである場合、例えば、中心パネル２２と、第１サイドパネル２４及び第２サイドパネル２６との通気性や吸湿性が異なるようにシート材料を選定することができる。また着用状態でのマスク本体２０を立体的に保持する目的で、中心パネル２２と、第１サイドパネル２４及び第２サイドパネル２６とで強度が異なるようにシート材料を選定することもできる。更にマスク本体２０の構成、外観、デザイン上の観点から、中心パネル２２と、第１サイドパネル２４及び第２サイドパネル２６とで、シートの色、シートの柄（例えばエンボス処理によって付与された柄等）が異なるようにシート材料を選定することもできる。
【００１５】
図３にはマスク本体２０の展開図が示されている。同図に示すように、中心パネル２２はその縦方向の上側及び下側に向かうに連れてその幅が次第に狭くなっている。中心パネル２０の最幅広部は、中心パネル２０の縦方向の中央部よりも下側に偏倚して位置している。そして中心パネル２２は、その上端域における幅が、その下端域における幅よりも狭くなっている形状をしている。
【００１６】
図３に示すように、第１サイドパネル２４及び第２サイドパネル２６は、中心パネル２２と同様に縦長をしている。第１サイドパネル２４は、縦方向に延びる左右両側縁２４ａ，２４ｂを有している。一方の側縁２４ａは、中心パネル２２の一方の側縁２２ａと対称の形状になっている。他方の側縁２４ｂは曲線と直線を組み合わせた形状になっている。第１サイドパネル２４の一方の側縁２４ａはその全長にわたって中心パネル２２の一方の側縁２２ａと接合されている。これによって図１に示すように接合部２５ａが形成されている。接合には、融着や接着剤による接着が用いられる。第１サイドパネル２４の他方の側縁２４ｂは自由側縁になっている。この自由側縁２４ｂには、先に述べた耳掛け部（図示せず）のうちの一方が連設される。
【００１７】
図３に示すように、第１サイドパネル２４と同様に、第２サイドパネル２６も縦方向に延びる左右両側縁２６ａ，２６ｂを有している。一方の側縁２６ａは、中心パネル２２の他方の側縁２２ｂと対称の形状になっている。他方の側縁２６ｂは曲線と直線を組み合わせた形状になっている。第２サイドパネル２６の一方の側縁２６ａはその全長にわたって中心パネル２２の他方の側縁２２ｂと接合されている。これによって図１に示すように接合部２５ｂが形成されている。第２サイドパネル２４の他方の側縁２６ｂは自由側縁になっている。この自由側縁２６ｂには、耳掛け部（図示せず）のうちの他方が連設される。
【００１８】
図１及び図２に示すように、第１サイドパネル２４及び第２サイドパネル２６はそれぞれ、これらのサイドパネル２４，２６に縦方向に延びる折曲線２４ｃ，２６ｃが形成されるように、中心パネル２２の内側に二つ折りの状態で折り畳まれている。各サイドパネル２４，２６における折曲線２４ｃ，２６ｃの形成位置は、図３に示すように、各サイドパネル２４，２６を左右に略二分する位置である。また、折曲線２４ｃ，２６ｃは、中心パネル２２の縦中心線とほぼ一致する位置に位置している。
【００１９】
マスク本体２０においては、第１サイドパネル２４と中心パネル２２との接合部位の下端部２４ｄと、第２サイドパネル２６と中心パネル２２との接合部位のの下端部２６ｄとの間の縁部は直線状になっている。同様に、第１サイドパネル２４と中心パネル２２との接合部位の上端部２４ｅと、第２サイドパネル２４と中心パネル２２との接合部位の上端部２６ｅとの間の縁部も直線状になっている。しかし、これらの縁部の形状は直線状に限られず、例えば曲線状や、曲線と直線の組み合わせ形状であってもよい。
【００２０】
マスク本体２０においては、第１サイドパネル２４と中心パネル２２との接合部位の下端部２４ｄと、第２サイドパネル２６と中心パネル２２との接合部位のの下端部２６ｄとの間の距離をＡ１とし、また第１サイドパネル２４と中心パネル２２との接合部位の上端部２４ｅと、第２サイドパネル２６と中心パネル２２との接合部位の上端部２６ｅとの間の距離をＡ２としたとき、Ａ１をＡ２よりも大きくなしてある。これらＡ１及びＡ２と、先に述べた中心パネル２２の最幅広部との寸法関係は、該最幅広部が最も大きく、Ａ１及びＡ２は最幅広部よりも小さくなっている。
【００２１】
第１サイドパネル２４の側縁２４ｂ及び第２サイドパネル２６の側縁２６ｂにそれぞれ連設されている耳掛け部２１は、若干横長のシート材料にくり抜きを設けて形成されている。このくり抜きによって、着用者の耳を通すことが可能な大きさの穴が形成されている。
【００２２】
マスク本体２０を構成するシート材料としては、通気性を有するものであればその種類に特に制限はない。加工のしやすさや経済性の観点からは不織布を用いることが好ましい。不織布としては、例えばメルトブローン不織布、スパンボンド不織布、エアスルー法によるサーマルボンド不織布、スパンレース不織布などの種々の不織布を用いることができる。これら種々の不織布を適宜組み合わせて、マスク本体２０に所望の機能を付与することができる。本実施形態においては、最も内側に肌触りの良好な不織布であるサーマルボンド不織布を用い、最も外側に強度の高い不織布であるスパンボンド不織布を用い、両不織布の間に微小粒子のフィルター機能の高い不織布であるメルトブローン不織布を用いている。各不織布の坪量に特に制限はないが、マスク本体２０の柔軟性や強度等を考慮すると、それぞれ１０〜５０ｇ／ｍ2程度であることが好ましい。また、単一（即ち１プライ）のシート材料或いは複数枚（即ちマルチプライ）のシートが積層されて一体的な構造になっているシート材料を１枚で用いる場合は、１０〜１００ｇ／ｍ2程度であることが好ましい。
【００２３】
また耳掛け部２１を構成するシート材料としては、伸縮性を有するものを用いることが、マスク１０のフィット性向上の点から好ましい。そのような材料としては、例えば弾性繊維を含む不織布や、弾性フィルムと不織布とのラミネートなどを用いることができる。
【００２４】
図４には、以上の構成を有するマスク１０の装着状態が示されている。マスク１０を装着するには、マスク本体２０の左右両側部に連設された左右の耳掛け部２１を指で把持しマスク本体２０を横方向外方へ引き伸ばす。これによって折り畳まれた状態にある第１サイドパネル２４及び第２サイドパネル２６がそれぞれ横方向外方へ引き伸ばされる。その結果、マスク本体２０は外側に凸状の略カップ形状に変形する。特に中心パネル２２は、その左右両側縁２２ａ，２２ｂが外向きに凸状に湾曲しているので、マスク本体２０を横方向外方へ引き伸ばすだけの簡単な操作で、マスク本体２０は略カップ形状に容易に変形する。
【００２５】
更に、マスク１０を装着する際に、左右の耳掛け部２１を横方向外方へ引き伸ばすと、略カップ形状の空間が常に外側に向かって凸状に形成され、空間の内側面が常に装着者の口元側に位置するようになる。従ってマスク１０を、その表裏面を間違えずに装着することができる。
【００２６】
図４に示すように装着状態のマスク１０においては、マスク本体２０の中心パネル２２が、着用者の鼻から下顎にわたる縦方向の領域を覆っている。特に、中心パネル２２が略椎の実状の形状をしていることで、フィット性よく着用者の鼻から下顎にわたる縦方向の領域を覆うことができる。中心パネル２２の左右に連設されている第１サイドパネル２４及び第２サイドパネル２６はそれぞれ着用者の左右の頬の領域を覆っている。このように本実施形態のマスク１０はその装着状態において略カップ形状となることで、鼻及び口の周囲を含む着用者の顔を広く覆い、また顔との間に十分な空間を形成する。従って呼吸がしやすく、また顔とマスクとの間の空間が蒸れにくくなる。
【００２７】
特に本実施形態のマスク１０においては、マスク本体２０の下端部における前記の距離Ａ１（図１参照）が、マスク本体２０の上端部における前記の距離Ａ２（図１参照）よりも大きくなっているので、着用者の口から下顎にかけての領域を広く覆うようになる。従ってマスク１０を装着した状態で会話をしても、マスク本体２０と着用者の顔との間に隙間が生じづらく、マスク本体２０と着用者の顔との間の密着性が保たれる。従って花粉や埃などの微小粒子の吸入を効果的に阻止できる。この観点から、Ａ１＞Ａ２であることを条件としてＡ１を好ましくは０ｍｍ＜Ａ１≦８０ｍｍ、更に好ましくは０ｍｍ＜Ａ１≦５０ｍｍとし、Ａ２を好ましくは０ｍｍ≦Ａ２≦５０ｍｍ、更に好ましくは０ｍｍ≦Ａ２≦３０ｍｍとする。
【００２８】
更に本実施形態のマスク１０においては、図２に示すように、第１サイドパネル２４及び第２サイドパネル２６が中心パネル２２の内側に二つ折りに折り畳まれた状態において、第１サイドパネル２４の自由側縁２４ｂ及び第２サイドパネル２６の自由側縁２６ｂがいずれも、中心パネル２２の左右両側縁２２ａ，２ｂの位置又はそれよりも内方に位置している。その結果、着用前のマスク本体２０は、平坦であることに加えて小さなサイズになる。つまり本実施形態のマスク１０は、その着用前においては小さなサイズであり持ち運びに便利であり、一方、着用状態においては着用者の顔を広く覆う大きな略カップ形状に変形するという二律背反の要求を満たすものとなる。
【００２９】
本実施形態のマスクは、花粉やハウスダストの吸い込み防止に特に効果的であるが、それ以外の用途にも勿論適用することができる。例えば風邪マスク、外科手術を始めとする医療分野で用いられるマスク、食品の製造、調理、弁当の製造を始めとする食品分野で用いられるマスク、半導体製造用のクリーンルームで用いられるマスク、各種製造業の分野などで防塵に用いられるマスクとして、本発明のマスクを用いることができる。
【００３０】
次に本発明のマスクの第２の実施形態及び第３の実施形態を、図５及び図６をそれぞれ参照しながら説明する。なお本実施形態に関して特に説明しない点については、先に述べた図１ないし図４に示す実施形態に関する説明が適宜適用される。また図５及び図６において、図１ないし図４に示す部材と同じ部材には同じ符号を付してある。
【００３１】
図５（ａ）及び図６（ａ）は、マスク１０をその外側からみた正面図である。図５（ｂ）は図５（ａ）におけるｂ−ｂ線断面図であり、図６（ｂ）は図６（ａ）におけるｂ−ｂ線断面図である。第２及び第３の実施形態のマスク１０は、第１サイドパネル２４及び第２サイドパネル２６が、先に述べた実施形態のマスクよりも幅広であることによって特徴付けられる。更に、第３の実施形態のマスクは、第２の実施形態のマスクと異なり、中心パネル２２が楕円形状であり、中心パネル２２の最幅広部が、中心パネル２２の縦方向の中央部に位置している。また第３の実施形態のマスクでは、中心パネル２２はその上部において、第１サイドパネル２４と中心パネル２２との接合部位の上端部２４ｅと、第２サイドパネル２６と中心パネル２２との接合部位の上端部２６ｅとの間が、上方に向けて突出して、凸状の滑らかな曲線をなしている。同様に、中心パネル２２はその下部において、第１サイドパネル２４と中心パネル２２との接合部位の上端部２４ｄと、第２サイドパネル２６と中心パネル２２との接合部位の上端部２６ｄとの間が、下方に向けて突出して、凸状の滑らかな曲線をなしている。そして、符号２４ｄ，２６ｄで示される間の距離Ａ１と、符号２４ｅ，２６ｅで示される間の距離Ａ２とが、Ａ１＝Ａ２となっている。距離Ａ１及びＡ２は０であってもよい。
【００３２】
本実施形態における第１サイドパネル２４及び第２サイドパネル２６がそれぞれ中心パネルの内側に二つ折りに折り畳まれている点については先に述べた実施形態のマスクと同様であるが、第１サイドパネル２４の自由側縁２４ｂ及び第２サイドパネル２６の自由側縁２６ｂの位置が、先に述べた実施形態のマスクと相違していることで、各サイドパネル２４，２６の幅が、先に述べた実施形態のマスクよりも大きくなっている。
【００３３】
詳細には、第１サイドパネル２４及び第２サイドパネル２６が、中心パネル２２の内側に二つ折りに折り畳まれた状態において、第１サイドパネル２４の自由側縁２４ｂ及び第２サイドパネル２６の自由側縁２６ｂがいずれも、中心パネル２２の左右両側縁２２ａ，２２ｂを越えて横方向外方に位置している。従って、マスク本体２０をその外側からみると、中心パネル２２の左右に、第１サイドパネル２４及び第２サイドパネル２６の一部が露出している状態になっている。このようになっていることで、本実施形態のマスク１０の着用時にマスク本体２０を横方向外方へ引き伸ばすと、略カップ状の形状が、先に述べた実施形態の場合よりも一層大きく形成されるという利点がある。特に、各サイドパネル２４，２６が、先に述べた実施形態の場合よりも幅広になっているので、当該サイドパネル２４，２６が着用者の頬の部分を一層広く覆うようになり、外部からの花粉や埃などの微小粒子の吸入を更に一層効果的に阻止できる。
【００３４】
第３の実施形態のマスクは、第２の実施形態のマスクにおいて中心パネルを楕円形状にしたものである。従って、第３の実施形態のマスクによれば、各サイドパネルが着用者の頬の部分を一層広く覆うようになるのに加えて、鼻、あご部分も広く覆うことで、さらなる効果が得られる。
【００３５】
なお、第２及び第３の実施形態の場合、各サイドパネル２４，２６自体を伸縮性のある不織布等で構成し、各サイドパネル２４，２６にくり抜き穴を設けて耳掛け部と兼用してもよい。
【００３６】
以上、本発明をその好ましい実施形態に基づき説明したが、本発明は前記実施形態に制限されない。例えば前記の各実施形態においては、各サイドパネル２４，２６の折曲線２４ｃ，２６ｃが、中心パネル２２の縦中心線とほぼ一致する位置にあったが、これに代えて、中心パネル２２の縦中心線から離間する位置に、折曲線２４ｃ，２６ｃがそれぞれ位置していてもよい。
【００３７】
また前記実施形態においては、耳掛け部２１をシート材料から形成したが、これに代えて弾性を有する紐状部材を用いて耳掛け部を形成してもよい。
【００３８】
また、第１及び第２の実施形態においては、符号２４ｄ，２６ｄで示される間の距離Ａ１と、符号２４ｅ，２６ｅで示される間の距離Ａ２とが、Ａ１＞Ａ２となっていたが、これに代えてＡ１＝Ａ２となしてもよい。
【図面の簡単な説明】
【００３９】
【図１】図１（ａ）は、本発明のマスクの一実施形態を示す正面図であり、図１（ｂ）は図１（ａ）におけるｂ−ｂ線断面図である。
【図２】図２は、図１（ａ）に示すマスクの背面図である。
【図３】図３は、図１に（ａ）に示すマスクにおけるマスク本体の展開図である。
【図４】図４は、図１（ａ）に示すマスクを装着した状態を示す斜視図である。
【図５】図５（ａ）は、本発明のマスクの第２の実施形態を示す正面図であり、図５（ｂ）は図５（ａ）におけるｂ−ｂ線断面図である。
【図６】図６（ａ）は、本発明のマスクの第３の実施形態を示す正面図であり、図６（ｂ）は図６（ａ）におけるｂ−ｂ線断面図である。
【符号の説明】
【００４０】
１０  マスク
２０  マスク本体
２１  耳掛け部
２２  中心パネル
２２ａ，２２ｂ  側縁
２４  第１サイドパネル
２４ｃ  折曲線
２６  第２サイドパネル
２６ｃ  折曲線
【図１】
0004632941.tif 000002
【図２】
0004632941.tif 000003
【図３】
0004632941.tif 000004
【図４】
0004632941.tif 000005
【図５】
0004632941.tif 000006
【図６】
0004632941.tif 000007